(57)【要約】【課題】入力画像データに対するユーザの映像調整に応じて、オーバーシュート駆動を制御することで、オーバーシュート駆動の弊害による画質劣化を抑制することが可能な液晶表示装置を提供する。【解決手段】ユーザの映像調整指示に基づき、入力画像データに対して所定の映像調整処理を施す映像処理部１２と、少なくとも１垂直期間前後における前記入力画像データの階調遷移に応じて、液晶表示パネル４の光学応答特性を補償する強調変換データを求める書込階調決定手段とを備え、前記書込階調決定手段は、前記ユーザによる映像調整指示内容に基づいて、前記強調変換データと前記入力画像データとのいずれか一方を選択的に切換え、表示画像データとして前記液晶表示パネルに供給する切換スイッチ１５を備えてなるものである。【選択図】　図１
2004145175.tif 000002
【特許請求の範囲】
【請求項１】
液晶表示パネルを用いて、画像を表示する液晶表示装置であって、
ユーザの映像調整指示に基づき、入力画像データに対して所定の映像調整処理を施す映像処理手段と、
少なくとも１垂直期間前後における前記入力画像データの階調遷移に応じて、前記液晶表示パネルの光学応答特性を補償する強調変換データを求める書込階調決定手段とを備え、
前記書込階調決定手段は、前記ユーザによる映像調整指示内容に基づいて、前記強調変換データと前記入力画像データとのいずれか一方を選択的に切換え、表示画像データとして前記液晶表示パネルに供給することを特徴とする液晶表示装置。
【請求項２】
前記請求項１に記載の液晶表示装置において、
前記書込階調決定手段は、前記強調変換データから前記入力画像データを減算する減算器と、
前記ユーザによる映像調整指示内容に基づいて切換制御される重み係数ｋを、前記減算器の出力データに積算する乗算器と、
前記乗算器の出力データを、前記入力画像データに加算することによって、前記表示画像データを決定する加算器とを有することを特徴とする液晶表示装置。
【請求項３】
前記請求項１に記載の液晶表示装置において、
前記書込階調決定手段は、前記入力画像データを前記強調変換データに変換するための強調変換パラメータを記憶した変換テーブルメモリと、
前記入力画像データをそのまま出力するための無変換パラメータを記憶した無変換テーブルメモリとを備え、
前記ユーザによる映像調整指示内容に基づいて、前記変換テーブルメモリと、前記無変換テーブルメモリとを選択的に切換え参照することにより、前記表示画像データを決定することを特徴とする液晶表示装置。
【請求項４】
前記請求項１に記載の液晶表示装置において、
前記書込階調決定手段は、前記入力画像データを前記強調変換データに変換するための強調変換パラメータと、前記入力画像データをそのまま出力するための無変換パラメータとを記憶したテーブルメモリを備え、
前記ユーザによる映像調整指示内容に基づいて、前記強調変換パラメータが記憶された参照テーブル領域と、前記無変換パラメータが記憶された参照テーブル領域とを選択的に切換え参照することにより、前記表示画像データを決定することを特徴とする液晶表示装置。
【請求項５】
液晶表示パネルを用いて、画像を表示する液晶表示装置であって、
ユーザの映像調整指示に基づき、入力画像データに対して所定の映像調整処理を施す映像処理手段と、
少なくとも１垂直期間前後における前記入力画像データの階調遷移に応じて、前記液晶表示パネルの光学応答特性を補償する強調変換データを求める書込階調決定手段とを備え、
前記書込階調決定手段は、前記ユーザによる映像調整指示内容に基づいて、前記液晶表示パネルの光学応答特性を補償する強調変換データを可変し、表示画像データとして前記液晶表示パネルに供給することを特徴とする液晶表示装置。
【請求項６】
前記請求項５に記載の液晶表示装置において、
前記書込階調決定手段は、前記強調変換データから前記入力画像データを減算する減算器と、
前記ユーザによる映像調整指示内容に基づいて可変制御される重み係数ｋを、前記減算器の出力データに積算する乗算器と、
前記乗算器の出力データを、前記入力画像データに加算することによって、前記表示画像データを決定する加算器とを有することを特徴とする液晶表示装置。
【請求項７】
前記請求項５に記載の液晶表示装置において、
前記書込階調決定手段は、前記入力画像データを前記強調変換データに変換するための異なる強調変換パラメータを記憶した複数の変換テーブルメモリを備え、
前記ユーザによる映像調整指示内容に基づいて、前記複数の変換テーブルメモリのうちの一つを選択的に切換参照することによって、前記表示画像データを決定することを特徴とする液晶表示装置。
【請求項８】
前記請求項５に記載の液晶表示装置において、
前記書込階調決定手段は、前記入力画像データを前記強調変換データに変換するための異なる強調変換パラメータを複数の参照テーブル領域毎に記憶したテーブルメモリを備え、
前記ユーザによる映像調整指示内容に基づいて、前記複数の参照テーブル領域のうちの一つを選択的に切換参照することによって、前記表示画像データを決定することを特徴とする液晶表示装置。
【請求項９】
前記請求項１乃至８のいずれかに記載の液晶表示装置において、
前記映像処理手段は、ユーザの映像調整指示に基づき、入力画像データの周波数特性を調整するものであることを特徴とする液晶表示装置。
【請求項１０】
前記請求項１乃至８のいずれかに記載の液晶表示装置において、
前記映像処理手段は、ユーザの映像調整指示に基づき、入力画像データの階調特性を調整するものであることを特徴とする液晶表示装置。
【発明の詳細な説明】
【０００１】
【発明の属する技術分野】
本発明は、液晶表示パネルを用いて画像を表示する液晶表示装置に関し、特に液晶表示パネルの光学応答特性（光学応答速度）を改善することができる液晶表示装置に関するものである。
【０００２】
【従来の技術】
近来、パーソナルコンピュータやテレビ受信機などの軽量化、薄形化によってディスプレイ装置も軽量化、薄形化が要求されており、このような要求に従って陰極線管（ＣＲＴ）の代わりに液晶表示装置（ＬＣＤ）のようなフラットパネル型ディスプレイが開発されている。
【０００３】
ＬＣＤは二つの基板の間に注入されている異方性誘電率を有する液晶層に電界を印加し、この電界の強さを調節して基板を透過する光の量を調節することによって所望の画像信号を得る表示装置である。このようなＬＣＤは携帯の簡便なフラットパネル型ディスプレイのうちの代表的なものであり、この中でも薄膜トランジスタ（ＴＦＴ）をスイッチング素子として用いたＴＦＴ　ＬＣＤが主に用いられている。
【０００４】
最近は、ＬＣＤがコンピュータのディスプレイ装置だけでなく、テレビ受信機のディスプレイ装置として広く用いられるため、動画像を具現する必要が増加してきた。しかしながら、従来のＬＣＤは応答速度が遅いために動画像を具現するのは難しいという短所があった。
【０００５】
このような液晶の応答速度の問題を改善するために、１フレーム前の入力画像信号と現フレームの入力画像信号の組み合わせに応じて、予め決められた現フレームの入力画像信号に対する階調電圧より高い（オーバーシュートされた）駆動電圧或いはより低い（アンダーシュートされた）駆動電圧を液晶表示パネルに供給する液晶駆動方法が知られている。以下、本願明細書においては、この駆動方式をオーバーシュート（ＯＳ）駆動と定義する。
【０００６】
従来のオーバーシュート駆動回路の概略構成を図１３に示す。すなわち、これから表示するＮ番目のフレームの入力画像データ（Ｃｕｒｒｅｎｔ　Ｄａｔａ）と、フレームメモリ１に保存されたＮ−１番目のフレームの入力画像データ（Ｐｒｅｖｉｏｕｓ　Ｄａｔａ）とを強調変換部２に読み出し、両データの階調遷移パターンとＮ番目のフレームの入力画像データとを、ＯＳテーブルメモリ（ＲＯＭ）３に保存されている付加電圧データ一覧表と照合し、照合して見つけ出した印加電圧データ（強調変換パラメータ）に基づいてＮ番目のフレームの画像表示に要する書込階調信号（強調変換データ）を決定し、液晶表示パネル４に印加する。ここでは、強調変換部２とＯＳテーブルメモリ３とにより書込階調決定手段を構成している。
【０００７】
ここで、上述のＯＳテーブルメモリ３に格納されている印加電圧データは、液晶表示パネル４の光学応答特性の実測値から予め得られるものであり、例えば表示信号レベル数すなわち表示データ数が８ビットの２５６階調である場合、図１４に示すように、２５６の全ての階調に対する印加電圧データを持っていても良いし、例えば６４階調毎の５つの代表階調、或いは３２階調毎の９つの代表階調についての実測値（強調変換パラメータ）のみを記憶しておき、その他の印加電圧データについては、上記実測値から線形補完等の演算で求めるようにしても良い。
【０００８】
一般的に液晶表示パネルにおいては、ある中間調から別の中間調に変更させる時間は長く、中間調を１フレーム（例えば６０Ｈｚのプログレッシブスキャンの場合は１６．７ｍｓｅｃ）内に表示することができず、残像が発生するだけでなく、中間調を正しく表示することができないという課題があったが、上述のオーバーシュート駆動回路を用いることにより、図１５に示すように、目標の中間調を短時間で表示することが可能となる。
【０００９】
【特許文献】
特開２００２−６２８５０号公報
【００１０】
【発明が解決しようとする課題】
通常、上述のオーバーシュート駆動回路の前段において、ユーザの好みにより各種映像調整が行なわれ、この映像調整が施された入力画像データに対してＯＳ駆動（強調変換処理）が行なわれることとなるが、映像調整の結果によってはＯＳ駆動の弊害（不自然な色つきやちらつきなど）が発生して表示画像の画質劣化を招来するという問題がある。
【００１１】
例えば、キレがある、メリハリの効いた映像を好むユーザが映像調整により輪郭強調補正を強めにかける場合、その輪郭強調部分がＯＳ駆動によって更に強調され過ぎて、白点化したり（ノーマリブラックモードの液晶表示パネルの場合）、不自然な色つきやちらつきなどが発生して表示画像の画質が劣化する。
【００１２】
また、液晶表示パネルの光学応答特性は、液晶の配向モードや液晶材料に電界を印加するための電極構造などによって異なり、ＯＳ駆動（強調変換処理）により液晶応答速度が良好に改善される階調遷移パターンと、ＯＳ駆動（強調変換処理）を行なっても液晶応答速度の改善があまり見られない階調遷移パターンとが存在する。
【００１３】
ここで、ユーザにより入力画像データに対して黒（白）伸張、黒（白）レベルの調整、ブライトネス調整などの階調特性に関する映像調整がなされた結果、ＯＳ駆動（強調変換処理）を行なっても液晶応答速度の改善があまり見られない階調遷移パターンが多く含まれるような場合、フレーム間データの誤差が拡大して、本来の入力画像データにはない映像ノイズを作り出すことになる。
【００１４】
すなわち、ＯＳ駆動を行なっても１フレーム内に目標階調に到達しない階調遷移の組み合わせが存在し、次のフレームに対してＯＳ駆動を行なったときに、前フレームが目標階調に到達していないにも拘らず目標階調に達していることを前提に印加電圧データを決定してしまうため、本来表示すべき階調と異なる階調が表示され、所望の画像を表示することができない。これが繰り返される場合、出力データの誤差がなしくずし的に増大して、画素の白化や黒化を招来してしまうという問題があった。
【００１５】
本発明は、上記課題に鑑みてなされたものであり、入力画像データに対するユーザの映像調整に応じて、オーバーシュート駆動を制御することで、オーバーシュート駆動の弊害による画質劣化を抑制することが可能な液晶表示装置を提供するものである。
【００１６】
【課題を解決するための手段】
本願の第１の発明は、液晶表示パネルを用いて、画像を表示する液晶表示装置であって、ユーザの映像調整指示に基づき、入力画像データに対して所定の映像調整処理を施す映像処理手段と、少なくとも１垂直期間前後における前記入力画像データの階調遷移に応じて、前記液晶表示パネルの光学応答特性を補償する強調変換データを求める書込階調決定手段とを備え、前記書込階調決定手段は、前記ユーザによる映像調整指示内容に基づいて、前記強調変換データと前記入力画像データとのいずれか一方を選択的に切換え、表示画像データとして前記液晶表示パネルに供給することを特徴とする。
【００１７】
本願の第２の発明は、前記書込階調決定手段が、前記強調変換データから前記入力画像データを減算する減算器と、前記ユーザによる映像調整指示内容に基づいて切換制御される重み係数ｋを、前記減算器の出力データに積算する乗算器と、前記乗算器の出力データを、前記入力画像データに加算することによって、前記表示画像データを決定する加算器とを有することを特徴とする。
【００１８】
本願の第３の発明は、前記書込階調決定手段が、前記入力画像データを前記強調変換データに変換するための強調変換パラメータを記憶した変換テーブルメモリと、前記入力画像データをそのまま出力するための無変換パラメータを記憶した無変換テーブルメモリとを備え、前記ユーザによる映像調整指示内容に基づいて、前記変換テーブルメモリと、前記無変換テーブルメモリとを選択的に切換え参照することにより、前記表示画像データを決定することを特徴とする。
【００１９】
本願の第４の発明は、前記書込階調決定手段が、前記入力画像データを前記強調変換データに変換するための強調変換パラメータと、前記入力画像データをそのまま出力するための無変換パラメータとを記憶したテーブルメモリを備え、前記ユーザによる映像調整指示内容に基づいて、前記強調変換パラメータが記憶された参照テーブル領域と、前記無変換パラメータが記憶された参照テーブル領域とを選択的に切換え参照することにより、前記表示画像データを決定することを特徴とする。
【００２０】
本願の第５の発明は、液晶表示パネルを用いて、画像を表示する液晶表示装置であって、ユーザの映像調整指示に基づき、入力画像データに対して所定の映像調整処理を施す映像処理手段と、少なくとも１垂直期間前後における前記入力画像データの階調遷移に応じて、前記液晶表示パネルの光学応答特性を補償する強調変換データを求める書込階調決定手段とを備え、前記書込階調決定手段は、前記ユーザによる映像調整指示内容に基づいて、前記液晶表示パネルの光学応答特性を補償する強調変換データを可変し、表示画像データとして前記液晶表示パネルに供給することを特徴とする。
【００２１】
本願の第６の発明は、前記書込階調決定手段が、前記強調変換データから前記入力画像データを減算する減算器と、前記ユーザによる映像調整指示内容に基づいて可変制御される重み係数ｋを、前記減算器の出力データに積算する乗算器と、前記乗算器の出力データを、前記入力画像データに加算することによって、前記表示画像データを決定する加算器とを有することを特徴とする。
【００２２】
本願の第７の発明は、前記書込階調決定手段が、前記入力画像データを前記強調変換データに変換するための異なる強調変換パラメータを記憶した複数の変換テーブルメモリを備え、前記ユーザによる映像調整指示内容に基づいて、前記複数の変換テーブルメモリのうちの一つを選択的に切換参照することによって、前記表示画像データを決定することを特徴とする。
【００２３】
本願の第８の発明は、前記書込階調決定手段が、前記入力画像データを前記強調変換データに変換するための異なる強調変換パラメータを複数の参照テーブル領域毎に記憶したテーブルメモリを備え、前記ユーザによる映像調整指示内容に基づいて、前記複数の参照テーブル領域のうちの一つを選択的に切換参照することによって、前記表示画像データを決定することを特徴とする。
【００２４】
本願の第９の発明は、前記映像処理手段が、ユーザの映像調整指示に基づき、入力画像データの周波数特性を調整するものであることを特徴とする。
【００２５】
本願の第１０の発明は、前記映像処理手段が、ユーザの映像調整指示に基づき、入力画像データの階調特性を調整するものであることを特徴とする。
【００２６】
すなわち、本発明の液晶表示装置によれば、ユーザによる映像調整指示に連動して、オーバーシュート駆動量を可変制御することができるので、映像調整結果によって生じるオーバーシュート駆動の弊害をキャンセルして、表示画像の画質劣化を抑制することが可能となる。
【００２７】
【発明の実施の形態】
以下、本発明の第１実施形態を、図１乃至図６とともに詳細に説明するが、上記従来例と同一部分には同一符号を付し、その説明は省略する。ここで、図１は本実施形態の液晶表示装置における概略構成を示すブロック図、図２は本実施形態の液晶表示装置に用いるＯＳテーブルメモリのテーブル内容を示す概略説明図、図３は本実施形態の液晶表示装置に用いる液晶表示パネルの光学応答特性を示す概略説明図である。
【００２８】
また、図４は本実施形態の液晶表示装置における映像処理部の一例（輪郭強調補正回路）を示すブロック図、図５は本実施形態の液晶表示装置における映像処理部の他の例（階調補正特性）を示す説明図、図６は本実施形態の液晶表示装置における映像処理部の更に他の例（階調補正特性）を示す説明図である。
【００２９】
本実施形態の液晶表示装置は、図１に示すように、入力画像信号をデジタル信号に変換するＡ／Ｄ変換器１１と、Ａ／Ｄ変換された入力画像データに対して所定の映像調整処理を施す映像処理部１２と、図示しないリモコン（リモートコントローラ）を用いてユーザが入力した指示信号を受信するリモコン受光部１３と、リモコン受光部１３で受信した指示信号を解析して、各処理部を制御する制御ＣＰＵ１４とを備えている。すなわち、ユーザはリモコンを用いて任意の映像調整を指示することにより、制御ＣＰＵ１４が映像処理部１２を制御して、好みの絵作りを行なうことが可能となっている。
【００３０】
また、書込階調決定手段として、フレームメモリ１に格納されている１フレーム前の画像データ（Ｐｒｅｖｉｏｕｓ　Ｄａｔａ）と現フレームの入力画像データ（Ｃｕｒｒｅｎｔ　Ｄａｔａ）とを入力し、これらの組み合わせ（階調遷移）からＯＳテーブルメモリ（ＲＯＭ）３ａを参照して、対応する強調変換パラメータを読み出し、現フレームの入力画像データに対して液晶表示パネル４の光学応答特性を補償する強調変換データを決定するための強調変換部２に加え、ユーザの映像調整指示に応じて、フレーム（画面）単位で強調変換データと入力画像データとを選択的に切換え、表示画像データとして液晶表示パネル４に出力する切換スイッチ１５を備えている。
【００３１】
ここで、本実施形態におけるＯＳテーブルメモリ（ＲＯＭ）３ａは、図２に示すように、表示信号レベル数すなわち表示データ数が８ビットの２５６階調である場合において、３２階調毎の代表階調遷移パターンについての強調変換パラメータ（実測値）を９×９のマトリクス状に記憶しているものとするが、本発明はこれに限られないことは言うまでもない。
【００３２】
また、本実施形態で用いる液晶表示パネル４は、説明を簡略化するため、図３に示すように、ノーマリーブラックモードであって、黒もしくは低階調から中間階調へ遷移する時間が特に遅いような光学応答特性を有するものとして以下説明するが、本発明はこのような特性に限られず種々の光学応答特性を有する液晶表示パネルに対して適用してもよいことは明らかである。
【００３３】
次に、本実施形態における映像処理部１２の具体例と、各例におけるＯＳ駆動制御について以下詳しく説明する。
【００３４】
（１）輪郭強調補正回路
画像信号の立ち上がりと立ち下がりのエッジ部にプリシュートとオーバーシュートを付加することにより、再生映像の輪郭部を強調して鮮鋭度を増加させるものであり、例えば図４に示すように、エッジ部における輪郭信号を生成する輪郭信号発生回路１６と、輪郭信号の振幅を調整して輪郭強調の度合いを調整するための利得制御回路１７と、振幅調整された輪郭信号を原画像信号に加算する加算器１８とから構成される。
【００３５】
ここで、ユーザからの映像調整指示を受け、制御ＣＰＵ１４から出力される制御信号によって、利得制御回路１７で輪郭信号の振幅を制御することで、エッジ部に付加するプリシュート量、オーバーシュート量を可変して、輪郭強調の度合いを調整することができる。すなわち、ユーザは映像調整によって、入力画像データの周波数特性を調整することで、好みの輪郭強調補正を施して、メリハリのある表示画像を得ることが可能である。
【００３６】
ところで、ユーザが輪郭強調の度合いを調整して、エッジ部に付加するプリシュート量、オーバーシュート量を増大させた場合、このプリシュート、オーバーシュート部分（輪郭強調部分）が強調変換部２によって更に過強調され、画素が白点化したり、不自然な色つきやちらつきなどが発生して、表示画像の画質が劣化する。
【００３７】
そこで、本実施形態においては、ユーザにより所定量以上の輪郭強調が指示された場合、制御ＣＰＵ１４がこれを検出し、表示画像データとして入力画像データをそのまま液晶表示パネル４に出力するよう、切換スイッチ１５を切換制御する。すなわち、ユーザによる輪郭強調補正の指示内容に基づいて、切換スイッチ１５を切換制御することにより、強調変換部２からの強調変換データと入力画像データとのいずれか一方を選択的に切換え、表示画像データとして液晶表示パネル４に供給する。
【００３８】
以上のとおり、ユーザが輪郭強調を強く効かせる指示を行なうと、これに連動して、ＯＳ駆動をオフ（停止）制御し、表示画像データとして入力画像データをそのまま液晶表示パネル４に出力するので、輪郭強調部分の過強調による、画素の白点化や不自然な色つき、ちらつきなどの発生を抑制して、高画質の画像表示を実現することが可能となる。
【００３９】
（２）黒伸張補正回路
画像信号の低階調側を伸張して、低階調側の階調再現性を向上させるものであり、例えば図５に示すような入出力特性（階調変換特性）を持つ演算器、ＬＵＴテーブル（ＲＯＭ）などを切換可能に構成することで実現される。また、この黒伸張補正は、メニュー設定画面において、ユーザが「映画モード」を選択設定することでも、オン動作される。
【００４０】
ここで、ユーザが映像調整により黒伸張補正を施して、低階調側の階調再現性を向上させた表示画像に調整（図５の実線で示す特性を選択）した場合、入力画像データは黒もしくは低階調側に多く分布することになり、これは液晶応答速度の遅い階調遷移パターンが多く出現することを意味する。すなわち、図３に示したハッチング領域内で階調遷移が発生する可能性が高く、従って、ＯＳ駆動（強調変換処理）を行なっても液晶応答速度の改善があまり見られず、逆に前フレームが目標階調に到達していないにも拘らず目標階調に達していることを前提に強調変換部２で強調変換データを決定してしまうため、本来表示すべき階調と異なる階調が表示され、このような階調遷移が繰り返される場合、画素の白化や黒化が発生して、表示画像の画質が劣化する。
【００４１】
そこで、本実施形態においては、ユーザにより所定量以上の黒伸張補正が指示された場合、制御ＣＰＵ１４がこれを検出し、表示画像データとして入力画像データをそのまま液晶表示パネル４に出力するよう、切換スイッチ１５を切換制御する。すなわち、ユーザによる黒伸張補正（映像ソース選択）の指示内容に基づいて、切換スイッチ１５を切換制御することにより、強調変換部２からの強調変換データと入力画像データとのいずれか一方を選択的に切換え、表示画像データとして液晶表示パネル４に供給する。
【００４２】
以上のとおり、ユーザが黒伸張補正の指示を行なうと、これに連動して、ＯＳ駆動をオフ（停止）制御し、表示画像データとして入力画像データをそのまま液晶表示パネル４に出力するので、黒伸張補正の結果、液晶表示パネル４の応答速度が遅い階調遷移パターンが繰り返し出現することによる、画素の白化や黒化などの発生を抑制して、高画質の画像表示を実現することが可能となる。
【００４３】
尚、白伸張補正の指示がなされた場合は、液晶表示パネル４の応答速度が遅い階調遷移パターンが繰り返し出現する可能性は低減するため、ＯＳ駆動をオン制御し、表示画像データとして強調変換部２にて強調処理された強調変換データを液晶表示パネル４に供給すれば良いことは明らかである。
【００４４】
（３）黒レベル補正回路
画像信号の黒レベルを補正することにより、表示画像の明るさを調整するものであり、例えば図６に示すような入出力特性（階調変換特性）を持つ演算器、ＬＵＴテーブル（ＲＯＭ）などを切換可能に構成することで実現される。尚、この黒レベル補正は、一般的にユーザがメニュー設定画面において調整可能な「ブライトネス調整」と同様のものである。
【００４５】
ここで、ユーザが映像調整により黒レベル補正を施して、全体的に暗い表示画像に調整（図６の一点鎖線で示す特性を選択）した場合、入力画像データは黒もしくは低階調側に多く分布することになり、これは液晶応答速度の遅い階調遷移パターンが多く出現することを意味する。すなわち、図３に示したハッチング領域内で階調遷移が発生する可能性が高く、従って、ＯＳ駆動（強調変換処理）を行なっても液晶応答速度の改善があまり見られず、逆に前フレームが目標階調に到達していないにも拘らず目標階調に達していることを前提に強調変換部２で強調変換データを決定してしまうため、本来表示すべき階調と異なる階調が表示され、このような階調遷移が繰り返される場合、画素の白化や黒化が発生して、表示画像の画質が劣化する。
【００４６】
そこで、本実施形態においては、ユーザにより所定量以上の黒レベル補正が指示された場合、制御ＣＰＵ１４がこれを検出し、表示画像データとして入力画像データをそのまま液晶表示パネル４に出力するよう、切換スイッチ１５を切換制御する。すなわち、ユーザによる黒レベル補正（ブライトネス調整）の指示内容に基づいて、切換スイッチ１５を切換制御することにより、強調変換部２からの強調変換データと入力画像データとのいずれか一方を選択的に切換え、表示画像データとして液晶表示パネル４に供給する。
【００４７】
以上のとおり、ユーザが黒レベル補正の指示を行なうと、これに連動して、ＯＳ駆動をオフ（停止）制御し、表示画像データとして入力画像データをそのまま液晶表示パネル４に出力するので、黒レベル補正の結果、液晶表示パネル４の応答速度が遅い階調遷移パターンが繰り返し出現することによる、画素の白化や黒化などの発生を抑制して、高画質の画像表示を実現することが可能となる。
【００４８】
尚、黒レベル補正（ブライトネス調整）により全体的に明るい表示画像に調整（図６の実線で示す特性を選択）された場合は、液晶表示パネル４の応答速度が遅い階調遷移パターンが繰り返し出現する可能性は低減するため、ＯＳ駆動をオン制御し、表示画像データとして強調変換部２にて強調処理された強調変換データを液晶表示パネル４に供給すれば良いことは明らかである。
【００４９】
上述したとおり、本実施形態の液晶表示装置によれば、入力画像データの周波数特性或いは階調特性に対しユーザにより指示される映像調整内容に応じて、強調変換部２で強調変換処理が施された強調変換データと入力画像データとを切換選択して、表示画像データとして液晶表示パネル４に出力するようにしているので、映像調整結果によって生じるオーバーシュート駆動の弊害をキャンセルして、表示画像の画質劣化を抑制することが可能となる。
【００５０】
尚、上記第１実施形態においては、強調変換部２とＯＳテーブルメモリ（ＲＯＭ）３ａとで書込階調決定手段を構成しているが、ＯＳテーブルメモリ３ａを設ける代わりに、例えば遷移前の階調と遷移後の階調とを変数とする２次元関数ｆ（ｐｒｅ，ｃｕｒ）により、液晶表示パネル４の光学応答特性を補償する強調変換データを求める構成としても良い。
【００５１】
次に、本発明の液晶表示装置の第２実施形態について、図７とともに説明するが、上記第１実施形態と同一部分には同一符号を付し、その説明は省略する。ここで、図７は本実施形態の液晶表示装置における要部概略構成を示すブロック図である。
【００５２】
本実施形態の液晶表示装置は、図７に示すように、書込階調決定手段として、ＯＳテーブルメモリ（ＲＯＭ）３ａから読出した強調変換パラメータに基づいて強調変換データを求める強調変換部２と、該強調変換部２で求めた強調変換データから入力画像データを減算する減算器２１と、該減算器２１の出力データに重み係数ｋ（０≦ｋ≦１）を積算する乗算器２２と、この乗算器２２の出力データを入力画像データに加算することにより、表示画像データを得る加算器２３とを設けた構成としている。
【００５３】
ここで、上記重み係数ｋの値は、ユーザによる映像調整指示内容に応じて、制御ＣＰＵ１４から出力される制御信号に基づき可変制御される。すなわち、ユーザによる映像調整指示に連動して、液晶表示パネル４に供給する表示画像データを可変制御する構成としている。
【００５４】
すなわち、通常設定使用時においては、制御ＣＰＵ１４が乗算器２２の重み係数をｋ＝１に制御することにより、液晶表示パネル４の光学応答特性を補償する強調変換データを表示画像データとして液晶表示パネル４へ出力することが可能であるとともに、ユーザにより（１）所定量以上の輪郭強調補正の指示がなされた場合、（２）所定量以上の黒伸張補正の指示がなされた場合、（３）所定量以上の黒レベル補正の指示がなされた場合には、制御ＣＰＵ１４が重み係数ｋ＝０に制御することにより、入力画像データに強調変換処理を施さずにそのまま液晶表示パネル４に出力することが可能となる。
【００５５】
このように、本実施形態の液晶表示装置によれば、入力画像データの周波数特性或いは階調特性に対しユーザにより指示される映像調整内容に応じて、強調変換データと入力画像データとを切換制御して、表示画像データとして液晶表示パネル４に出力するようにしているので、映像調整結果によって生じるオーバーシュート駆動の弊害をキャンセルして、表示画像の画質劣化を抑制することが可能となる。
【００５６】
尚、本実施形態において、ユーザによる映像調整指示内容に応じて、上記重み係数ｋ（０≦ｋ≦１）の値を段階的に可変させても良い。すなわち、（１）輪郭強調補正の強調度合いが強い程、（２）黒伸張補正の伸張量が大きい程、（３）黒レベル補正の黒レベル低下量が大きい程、重み係数ｋを１から０に近付けるように減少制御することで、液晶表示パネル４に供給する表示画像データを段階的に可変させる、すなわちＯＳ駆動量を段階的に小さくすることができる。
【００５７】
このように、ユーザによる映像調整指示内容に基づいて、液晶表示パネル４の光学応答特性を補償する強調変換データを段階的に可変制御し、表示画像データとして液晶表示パネル４に供給することにより、映像調整結果によって生じるオーバーシュート駆動の弊害をより柔軟にキャンセルすることが可能となり、表示画像の画質劣化をきめ細かに抑制することができる。
【００５８】
次に、本発明の第３実施形態について、図８乃至図１０とともに詳細に説明するが、上述した第１実施形態と同一部分には同一符号を付し、その説明は省略する。ここで、図８は本実施形態の液晶表示装置における概略構成を示すブロック図、図９は本実施形態の液晶表示装置に用いる弱変換テーブルメモリのテーブル内容を示す概略説明図である。図１０は本実施形態の液晶表示装置に用いる無変換テーブルメモリのテーブル内容を示す概略説明図である。
【００５９】
本実施形態の液晶表示装置は、図８に示すように、上述の第１実施形態に比べて、変換テーブルメモリ（ＲＯＭ）３ａに加え、弱変換パラメータを記憶した弱変換テーブルメモリ（ＲＯＭ）３ｂと、無変換パラメータを記憶した無変換テーブルメモリ（ＲＯＭ）３ｃとを追加して設け、切換スイッチ１５を廃止して構成している。すなわち、強調変換部３２は、制御ＣＰＵ１４からの制御信号に基づいて、テーブルメモリ（ＲＯＭ）３ａ〜３ｃのいずれかを参照することにより、液晶表示パネル４に供給する表示画像データを決定する。
【００６０】
ここでは、テーブルメモリ（ＲＯＭ）３ａ〜３ｃと、このテーブルメモリ（ＲＯＭ）３ａ〜３ｃを制御ＣＰＵ１４からの制御信号に基づき切換参照することで、液晶表示パネル４に出力する表示画像データを求める強調変換部３２とにより書込階調決定手段を構成している。
【００６１】
上記構成において、弱変換テーブルメモリ（ＲＯＭ）３ｂは、図９に示すように、変換テーブルメモリ（ＲＯＭ）３ａに記憶されている強調変換パラメータに比べて、その値を低減した強調変換パラメータが記憶されており、この弱変換テーブルメモリ３ｂが選択参照された場合は、入力画像データに弱い強調変換処理を施して、液晶表示パネル４へ出力する構成となっている。
【００６２】
また、無変換テーブルメモリ（ＲＯＭ）３ｃは、図１０に示すように、入力画像データを変換することなくそのまま出力するための無変換パラメータが記憶されており、この無変換テーブルメモリ３ｃが選択参照された場合は、入力画像データがそのままスルー出力される構成となっている。
【００６３】
すなわち、通常設定使用時においては、制御ＣＰＵ１４が変換テーブルメモリ３ａを選択参照するように制御することで、液晶表示パネル４の光学応答特性を補償する強い強調変換処理を入力画像データに施して、この強調変換データを表示画像データとして液晶表示パネル４へ出力することが可能である。
【００６４】
また、ユーザにより（１）所定量以下の輪郭強調補正の指示がなされた場合、（２）所定量以下の黒伸張補正の指示がなされた場合、（３）所定量以下の黒レベル補正の指示がなされた場合には、制御ＣＰＵ１４が弱変換テーブルメモリ３ｂを選択参照するように制御することで、入力画像データに弱い強調変換処理を施して、この強調変換データを表示画像データとして液晶表示パネル４へ出力することが可能である。
【００６５】
さらに、ユーザにより（１）所定量以上の輪郭強調補正の指示がなされた場合、（２）所定量以上の黒伸張補正の指示がなされた場合、（３）所定量以上の黒レベル補正の指示がなされた場合には、制御ＣＰＵ１４が無変換テーブルメモリ３ｃを選択参照するように制御することで、入力画像データに強調変換処理を施さずに、そのまま表示画像データとして液晶表示パネル４へ出力することが可能である。
【００６６】
このように、ユーザによる映像調整指示内容に基づいて、異なるテーブルメモリを選択参照し、液晶表示パネル４に供給する表示画像データ（ＯＳ駆動量）を段階的に可変制御することにより、映像調整結果によって生じるオーバーシュート駆動の弊害をより柔軟にキャンセルすることが可能となり、表示画像の画質劣化をきめ細かに抑制することができる。
【００６７】
尚、本実施形態においては、説明を簡略化するために、２種類の変換テーブルメモリ３ａ，３ｂと無変換テーブルメモリ３ｃとからなる３種類のテーブルメモリを設けたものについて説明したが、本発明はこれに限らず、４種類以上のテーブルメモリを設け、それぞれをユーザによる映像調整指示内容に対応付けて切換参照する構成としても良いことは明らかである。
【００６８】
次に、本発明の第４実施形態について、図１１及び図１２とともに詳細に説明するが、上述した第３実施形態と同一部分には同一符号を付し、その説明は省略する。ここで、図１１は本実施形態の液晶表示装置における概略構成を示すブロック図、図１２は本実施形態の液晶表示装置に用いるテーブルメモリにおけるテーブル内容を示す概略説明図である。
【００６９】
本実施形態の液晶表示装置は、図１１に示すように、テーブルメモリとして、複数の強調変換パラメータ及び無変換パラメータを各参照テーブル領域に記憶した単一のＲＯＭ３ｄを備えており、このＲＯＭ３ｄを参照することにより、強調変換部４２は液晶表示パネル４に供給する表示画像データを決定する構成としている。
【００７０】
ここでは、テーブルメモリ（ＲＯＭ）３ｄと、このテーブルメモリ（ＲＯＭ）３ｄ内の参照テーブル領域を制御ＣＰＵ１４からの制御信号に基づき切換参照して、液晶表示パネル４に出力する表示画像データを求める強調変換部４２とにより書込階調決定手段を構成している。
【００７１】
このテーブルメモリ（ＲＯＭ）３ｄには、図１２に示すように、強調度合いの強い強調変換パラメータ、強調度合いの弱い強調変換パラメータ、無変換パラメータがそれぞれのテーブル領域に格納されており、これらの参照テーブル領域は、制御ＣＰＵ１４からの制御信号に基づき選択的に切換えられて参照される構成としている。
【００７２】
すなわち、通常設定使用時は、制御ＣＰＵ１４からの制御信号に基づいて、強調度合いの強い強調変換パラメータが格納されている参照テーブル領域を選択参照することにより、液晶表示パネル４の光学応答特性を補償する強い強調変換処理を入力画像データに施して、この強調変換データを表示画像データとして液晶表示パネル４へ出力することが可能である。
【００７３】
また、ユーザにより（１）所定量以下の輪郭強調補正の指示がなされた場合、（２）所定量以下の黒伸張補正の指示がなされた場合、（３）所定量以下の黒レベル補正の指示がなされた場合には、制御ＣＰＵ１４からの制御信号に基づいて、強調度合いの弱い強調変換パラメータが格納されている参照テーブル領域を選択参照することにより、入力画像データに弱い強調変換処理を施して、この強調変換データを表示画像データとして液晶表示パネル４へ出力することが可能である。
【００７４】
さらに、ユーザにより（１）所定量以上の輪郭強調補正の指示がなされた場合、（２）所定量以上の黒伸張補正の指示がなされた場合、（３）所定量以上の黒レベル補正の指示がなされた場合には、制御ＣＰＵ１４からの制御信号に基づいて、無変換パラメータが格納されている参照テーブル領域を選択参照することにより、入力画像データに強調変換処理を施さずに、そのまま表示画像データとして液晶表示パネル４へ出力することが可能である。
【００７５】
このように、ユーザによる映像調整指示内容に基づいて、異なる参照テーブル領域を選択参照し、液晶表示パネル４に供給する表示画像データ（ＯＳ駆動量）を段階的に可変制御することにより、映像調整結果によって生じるオーバーシュート駆動の弊害をより柔軟にキャンセルすることが可能となり、表示画像の画質劣化をきめ細かに抑制することができる。
【００７６】
尚、本実施形態においては、説明を簡略化するために、２種類の強調変換パラメータと無変換パラメータとがそれぞれ記憶された３つの参照テーブル領域を持つテーブルメモリ３ｄについて説明したが、本発明はこれに限らず、４つ以上の参照テーブル領域を設け、それぞれをユーザによる映像調整指示内容に対応付けて切換参照する構成としても良いことは明らかである。
【００７７】
また、上記本発明の各実施形態においては、リモコンを用いてユーザが映像調整に関する指示入力を行うものについて説明したが、装置本体に設けられた操作パネル部を用いてユーザ指示入力を行うようにしても良いことは言うまでもない。
【００７８】
【発明の効果】
本発明の液晶表示装置は、上記のような構成としているので、ユーザによる映像調整指示に基づいて、オーバーシュート駆動量を可変制御することができるので、映像調整結果によって生じるオーバーシュート駆動の弊害をキャンセルして、表示画像の画質劣化を抑制することが可能となる。
【図面の簡単な説明】
【図１】本発明の液晶表示装置の第１実施形態における概略構成を示すブロック図である。
【図２】本発明の液晶表示装置の第１実施形態に用いるＯＳテーブルメモリのテーブル内容を示す概略説明図である。
【図３】本発明の液晶表示装置の第１実施形態に用いる液晶表示パネルの光学応答特性を示す概略説明図である。
【図４】本発明の液晶表示装置の第１実施形態における映像処理部の一例（輪郭強調補正回路）を示すブロック図である。
【図５】本発明の液晶表示装置の第１実施形態における映像処理部の他の例（階調補正特性）を示す説明図である。
【図６】本発明の液晶表示装置の第１実施形態における映像処理部の更に他の例（階調補正特性）を示す説明図である。
【図７】本発明の液晶表示装置の第２実施形態における要部概略構成を示すブロック図である。
【図８】本発明の液晶表示装置の第３実施形態における概略構成を示すブロック図である。
【図９】本発明の液晶表示装置の第３実施形態に用いる弱変換テーブルメモリのテーブル内容を示す概略説明図である。
【図１０】本発明の液晶表示装置の第３実施形態に用いる無変換テーブルメモリのテーブル内容を示す概略説明図である。
【図１１】本発明の液晶表示装置の第４実施形態における概略構成を示すブロック図である。
【図１２】本発明の液晶表示装置の第４実施形態に用いるテーブルメモリのテーブル内容を示す概略説明図である。
【図１３】従来の液晶表示装置におけるオーバーシュート駆動回路の概略構成を示すブロック図である。
【図１４】オーバーシュート駆動回路に用いるＯＳテーブルメモリにおけるテーブル内容の一例を示す概略説明図である。
【図１５】液晶に加える電圧と液晶の応答との関係を示す説明図である。
【符号の説明】
１　フレームメモリ
２、３２、４２　強調変換部
３ａ〜３ｄ　テーブルメモリ（ＲＯＭ）
４　液晶表示パネル
１１　Ａ／Ｄコンバータ
１２　映像処理部
１３　リモコン受光部
１４　制御ＣＰＵ
１５　切換スイッチ
１６　輪郭信号発生回路
１７　利得制御回路
１８　加算器
２１　減算器
２２　乗算器
２３　加算器
【図１】
2004145175.tif 000003
【図２】
2004145175.tif 000004
【図３】
2004145175.tif 000005
【図４】
2004145175.tif 000006
【図５】
2004145175.tif 000007
【図６】
2004145175.tif 000008
【図７】
2004145175.tif 000009
【図８】
2004145175.tif 000010
【図９】
2004145175.tif 000011
【図１０】
2004145175.tif 000012
【図１１】
2004145175.tif 000013
【図１２】
2004145175.tif 000014
【図１３】
2004145175.tif 000015
【図１４】
2004145175.tif 000016
【図１５】
2004145175.tif 000017